【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
次の構成要件（Ａ01）〜（Ａ03）を備えたことを特徴とする被梱包物体載置用のパレット、
（Ａ01）被梱包物体を支持する被梱包物体載置面、
（Ａ02）前記被梱包物体載置面の外周部に設けられ且つ引張部材の一端部を係止するための複数の係止部、
（Ａ03）フォークリフトのフォークが挿入されるフォーク挿入孔。
【請求項２】
次の構成要件（Ａ04），（Ａ05）を備えたことを特徴とする請求項１記載の被梱包物体載置用のパレット、
（Ａ04）被梱包物体載置用のパレットの外面に開口し且つ前記引張部材の一端部に連結された被係止部材が挿入される係止孔、
（Ａ05）前記係止孔に挿入された被係止部材を係止する前記係止部。
【請求項３】
次の構成要件（Ａ06）を備えたことを特徴とする請求項１または２記載の被梱包物体載置用のパレット、
（Ａ06）前記被梱包物体載置用のパレットの外側面に突出して設けられ且つ前記引張部材の一端部に連結された被係止部材が係止される前記係止部。
【請求項４】
次の構成要件（Ａ07）を備えたことを特徴とする請求項１または２記載の被梱包物体載置用のパレット、
（Ａ07）被梱包物体載置用のパレットと一体に形成され且つ前記引張部材の一端部に連結された被係止部材が係止される前記係止部。
【請求項５】
次の構成要件（Ｂ01）〜（Ｂ03）を備えたことを特徴とするパレット用被梱包物体固定方法、
（Ｂ01）被梱包物体を支持する被梱包物体載置面と、引張部材の下端を係止するための複数の係止部とを有する被梱包物体載置用のパレットの前記被梱包物体載置面に、移動防止部材を介して被梱包物体を載置する被梱包物体載置工程、
（Ｂ02）前記被梱包物体の上端部を上端部被覆カバーにより被覆する被覆工程、
（Ｂ03）複数の前記引張部材により前記上端部被覆カバーと前記複数の係止部とを連結して前記引張部材に作用する張力により前記被梱包物体を前記被梱包物体載置面に押圧した状態で固定する被梱包物体固定工程。
【請求項６】
次の構成要件（Ｂ01ａ），（Ｂ01ｂ），（Ｂ02），（Ｂ03）を備えたことを特徴とするパレット用被梱包物体固定方法、
（Ｂ01ａ）被梱包物体を支持する被梱包物体載置面と、引張部材の下端を係止するための複数の係止部を有する被梱包物体載置用のパレットの前記被梱包物体載置面に、被梱包物体を載置する被梱包物体載置工程、
（Ｂ01ｂ）前記被梱包物体載置面に載置した被梱包物体の下端部が前記被梱包物体載置面上で移動するのを防止するために、被梱包物体の下端部を被梱包物体載置面上で固定する下端部固定工程、
（Ｂ02）前記被梱包物体の上端部を上端部被覆カバーにより被覆する被覆工程、
（Ｂ03）複数の前記引張部材により前記上端部被覆カバーと前記複数の係止部とを連結して前記引張部材に作用する張力により前記被梱包物体を前記被梱包物体載置面に押圧した状態で固定する被梱包物体固定工程。
【請求項７】
次の構成要件（Ｂ01′），（Ｂ02）〜（Ｂ05）を備えたことを特徴とするパレット用梱包方法、
（Ｂ01′）被梱包物体を支持する被梱包物体載置面と、引張部材の下端を係止するための複数の係止部と、前記被梱包物体載置面の外周部に設けられた複数の保護部材連結部とを有する被梱包物体載置用のパレットの前記被梱包物体載置面に、移動防止部材を介して被梱包物体を載置する被梱包物体載置工程、
（Ｂ02）前記被梱包物体の上端部を上端部被覆カバーにより被覆する被覆工程、
（Ｂ03）複数の前記引張部材により前記上端部被覆カバーと前記複数の係止部とを連結して前記引張部材に作用する張力により前記被梱包物体を前記被梱包物体載置面に押圧した状態で固定する被梱包物体固定工程、
（Ｂ04）前記複数の保護部材連結部に複数の保護部材の下端部のパレット連結部を連結する保護部材連結工程、
（Ｂ05）上面に他の被梱包物体載置用のパレットを載置可能なパレット載置面を有する天板を、前記複数の保護部材の上端に連結する天板連結工程。
【請求項８】
次の構成要件（Ｂ01″）〜（Ｂ03″）を備えたことを特徴とするパレット用被梱包物体固定方法、
（Ｂ01″）被梱包物体載置用のパレットの被梱包物体載置面に被梱包物体を載置する被梱包物体載置工程、
（Ｂ02″）前記被梱包物体載置面に載置された前記被梱包物体の上端部を弾力の有る上端部被覆カバーにより被覆する被覆工程。
（Ｂ03″）前記上端部被覆カバーの外周部を前記パレット側に引っ張って、前記弾力の有る前記上端部被覆カバーに張力が発生した状態で前記パレットに対して取付ることにより前記被梱包物体を前記被梱包物体載置面に押圧した状態で固定する被梱包物体固定工程。
【請求項９】
次の構成要件（Ｃ01）〜（Ｃ04）を備えたことを特徴とするパレット用被梱包物体固定装置、
（Ｃ01）被梱包物体を支持する被梱包物体載置面と、引張部材の下端を係止するための複数の係止部を有する被梱包物体載置用のパレット、
（Ｃ02）前記被梱包物体の上端部を被覆する上端部被覆カバー、
（Ｃ03）前記上端部被覆カバーと前記複数の係止部とを連結する複数の前記引張部材、
（Ｃ04）前記上端部被覆カバーと前記係止部とを連結する前記引張部材に張力を発生させる張力発生部材。
【請求項１０】
次の構成要件（Ｃ01′），（Ｃ02）〜（Ｃ06）を備えたことを特徴とするパレット用梱包装置、
（Ｃ01′）被梱包物体を支持する被梱包物体載置面と、引張部材の下端を係止するための複数の係止部と、前記被梱包物体載置面の外周部に設けられた複数の保護部材連結部とを有する被梱包物体載置用のパレット、
（Ｃ02）前記被梱包物体の上端部を被覆する上端部被覆カバー、
（Ｃ03）前記上端部被覆カバーと前記複数の係止部とを連結する複数の前記引張部材、
（Ｃ04）前記上端部被覆カバーと前記係止部とを連結する前記引張部材に張力を発生させる張力発生部材、
（Ｃ05）前記被梱包物体載置用のパレットの保護部材連結部に着脱可能に連結されるパレット連結部を有する複数の保護部材、
（Ｃ06）上面に他の被梱包物体載置用のパレットを載置可能なパレット載置面を有し且つ前記複数の保護部材の上端に連結される天板。
【請求項１１】
請求項１０記載のパレット用梱包装置を使用してパレット上に被梱包物体を固定し且つ複数の前記保護部材の上端に天板を連結した梱包状態の被梱包物体を保管する方法において、前記梱包状態のパレット用梱包装置の前記天板の上に他の梱包状態のパレット用梱包装置を段積みして前記被梱包物体を保管する被梱包物体保管方法。
【請求項１２】
次の構成要件（Ｄ01）を備えたことを特徴とするパレット用被梱包物体固定部材、
（Ｄ01）被梱包物体載置用のパレットの被梱包物体載置面に載置された被梱包物体の上端部を被覆する弾力性の有るシート状の上端部被覆カバーであって外周部に他の部材との複数の連結部が設けられた前記上端部被覆カバー。
【請求項１３】
次の構成要件（Ｄ02）を備えたことを特徴とする請求項１２記載のパレット用被梱包物体固定部材、
（Ｄ02）前記複数の各連結部に一端部が連結され他端部に前記被梱包物体載置用のパレットに着脱可能に係止される被係止部材が連結された前記他の部材。
【請求項１４】
請求項１２記載のパレット用被梱包物体固定部材を使用してパレット上に固定した被梱包物体を輸送機関により目標場所に輸送する被梱包物体輸送方法。
【手続補正２】
【補正対象書類名】明細書
【補正対象項目名】００１９
【補正方法】変更
【補正の内容】
【００１９】
本発明のパレット用梱包方法は、次の構成要件（Ｂ01′），（Ｂ02）〜（Ｂ05）を備えたことを特徴とする。
（Ｂ01′）被梱包物体（Ｆ）を支持する被梱包物体載置面（２）と、引張部材（８）の下端を係止するための複数の係止部（６ａ′，３１ａ，４３ｂ，４４）と、前記被梱包物体載置面（２）の外周部に設けられた複数の保護部材連結部（４）とを有する被梱包物体載置用のパレット（Ｐ）の前記被梱包物体載置面（２）に、移動防止部材（Ｃ）を介して被梱包物体（Ｆ）を載置する被梱包物体載置工程、
（Ｂ02）前記被梱包物体（Ｆ）の上端部を上端部被覆カバー（Ｋ）により被覆する被覆工程、
（Ｂ03）複数の前記引張部材（８）により前記上端部被覆カバーと前記複数の係止部（６ａ′，３１ａ，４３ｂ，４４）とを連結して前記引張部材（８）に作用する張力により前記被梱包物体（Ｆ）を前記被梱包物体載置面（２）に押圧して固定する被梱包物体固定工程、
（Ｂ04）前記複数の保護部材連結部（４）に複数の保護部材（Ｗ）の下端部のパレット連結部（Ｗａ）を連結する保護部材連結工程、
（Ｂ05）上面に他の被梱包物体載置用のパレットを載置可能なパレット載置面を有する天板（Ｔ）を、前記複数の保護部材（Ｗ）の上端に連結する天板連結工程。
前記構成要件（Ｂ01′），（Ｂ02）〜（Ｂ05）を備えた本発明のパレット用梱包方法は、被梱包物体載置工程では、被梱包物体載置用のパレット（Ｐ）の被梱包物体載置面（２）に、移動防止部材（Ｃ）を介して被梱包物体（Ｆ）を載置する。なお、前記移動防止部材（Ｃ）としては、前記被梱包物体載置面（２）上に支持されたゴム製の摩擦パッドを使用可能である。前記摩擦パッド上に被梱包物体（Ｆ）の下端のキャスタ等を載置することにより被梱包物体（Ｆ）の被梱包物体載置面（２）上での移動を防止することができる。
被覆工程では、前記被梱包物体（Ｆ）の上端部を上端部被覆カバー（Ｋ）により被覆する。
被梱包物体固定工程では、複数の前記引張部材（８）により前記上端部被覆カバーと被梱包物体載置用のパレット（Ｐ）の複数の係止部（６ａ′，３１ａ，４３ｂ，４４）とを連結して前記引張部材（８）に作用する張力により前記被梱包物体（Ｆ）を前記被梱包物体載置面（２）に固定する。前記引張部材（８）および上端部被覆カバーの構成は簡単であり、被梱包物体固定工程の作業も容易である。
保護部材連結工程では、前記被梱包物体載置用のパレット（Ｐ）の複数の保護部材連結部（４）に複数の保護部材（Ｗ）の下端部のパレット連結部（Ｗａ）を連結する。
天板連結工程では、上面に他の被梱包物体載置用のパレットを載置可能なパレット載置面を有する天板（Ｔ）を、前記複数の保護部材（Ｗ）の上端に連結する。
前記本発明のパレット用梱包方法では、被梱包物体載置面（２）上の被梱包物体（Ｆ）の固定は、前記複数の保護部材（Ｗ）とは関係なく行うことができるので、従来技術のように保護部材と被梱包物体との間に緩衝部材を挿入して被梱包物体の位置を固定する場合に比較して、被梱包物体載置面（２）上の被梱包物体（Ｆ）の固定作業が容易となる。
【手続補正３】
【補正対象書類名】明細書
【補正対象項目名】００２０
【補正方法】変更
【補正の内容】
【００２０】
本発明のパレット用被梱包物体固定方法は、次の構成要件（Ｂ01″）〜（Ｂ03″）を備えたことを特徴とする。
（Ｂ01″）被梱包物体（Ｆ）載置用のパレット（Ｐ）の被梱包物体載置面（２）に被梱包物体（Ｆ）を載置する被梱包物体載置工程、
（Ｂ02″）前記被梱包物体載置面（２）に載置された前記被梱包物体（Ｆ）の上端部を弾力の有る上端部被覆カバー（Ｋ）により被覆する被覆工程。
（Ｂ03″）前記上端部被覆カバー（Ｋ）の外周部を前記パレット（Ｐ）側に引っ張って、前記弾力の有る前記上端部被覆カバー（Ｋ）に張力が発生した状態で前記パレット（Ｐ）に対して取付ることにより前記被梱包物体（Ｆ）を前記被梱包物体載置面（２）に押圧した状態で固定する被梱包物体固定工程。
前記構成要件（Ｂ01″）〜（Ｂ03″）を備えた本発明のパレット用被梱包物体固定方法は、被梱包物体載置工程では、被梱包物体載置用のパレット（Ｐ）の被梱包物体載置面（２）に、被梱包物体（Ｆ）を載置する。
被覆工程では、前記被梱包物体（Ｆ）の上端部を弾力性の有る上端部被覆カバー（Ｋ）により被覆する。
被梱包物体固定工程では、前記上端部被覆カバー（Ｋ）の外周部を前記パレット（Ｐ）側に引っ張って、前記弾性力により前記上端部被覆カバー（Ｋ）に張力が発生した状態で前記パレット（Ｐ）に対して固定する。この場合、前記被梱包物体（Ｆ）を前記被梱包物体載置面（２）に押圧した状態で容易に固定することができる。
また、前記被梱包物体（Ｆ）が固定された前記被梱包物体載置用のパレット（Ｐ）は、その状態で輸送機関により輸送することができる。